【手続補正書】
【提出日】平成18年2月24日(2006.2.24)
【手続補正１】
【補正対象書類名】特許請求の範囲
【補正対象項目名】全文
【補正方法】変更
【補正の内容】
【特許請求の範囲】
【請求項１】
雑音低減のための信号処理システムであって、
乗算係数Ｍを有する過偏移位相乗算器と、
デジタル中間周波数アップコンバータと、
第１および第２のデジタル／アナログ変換器（ＤＡＣ）と、
除算係数Ｍを有する過偏移位相除算器と、
を備える信号処理システム。
【請求項２】
さらに制限器を備える請求項１に記載のシステム。
【請求項３】
前記過偏移位相乗算器は、さらに乗算係数Ｋを有するＧＳＭ特定位相乗算器を含む請求項１に記載のシステム。
【請求項４】
前記デジタル中間周波数アップコンバータは、さらに三角法のルックアップテーブルを有するデジタル位相変調器を含む請求項１に記載のシステム。
【請求項５】
前記デジタル中間周波数アップコンバータは、さらに数値発振器を含む請求項１に記載のシステム。
【請求項６】
前記過偏移位相除算器は、変換ループおよびオフセット位相ロックループのうちの１つである請求項１に記載のシステム。
【請求項７】
前記過偏移位相除算器は、位相ロックループである請求項１に記載のシステム。
【請求項８】
前記位相ロックループは、除算係数Ｒを有する初期除算器と除算係数Ｎを有する第２の除算器をさらに備え、除算係数Ｒと除算係数Ｎの値はＮ／Ｒ＝１／Ｍとなる請求項７に記載のシステム。
【請求項９】
ＭはＧＳＭ通信規格の雑音条件を満たすよう選ばれ、前記第１および第２のＤＡＣはＷＣＤＭＡ通信規格の雑音条件を満たすよう選ばれる請求項１に記載のシステム。
【請求項１０】
雑音低減のための信号処理システムであって、
乗算係数Ｍを有する過偏移位相乗算器と、
選択された通信規格に適合しないＤＡＣ雑音を有する１つ以上のデジタル／アナログ変換器（ＤＡＣ）と、
残留ＤＡＣ雑音が前記選択された通信規格に適合するよう除算係数Ｍを有する過偏移位相除算器と、
を備える信号処理システム。
【請求項１１】
さらに制限器を備える請求項１０に記載のシステム。
【請求項１２】
前記選択された通信規格はＷＣＤＭＡ規格である請求項１０に記載のシステム。
【請求項１３】
さらにデジタル中間周波数アップコンバータを備える請求項１０に記載のシステム。
【請求項１４】
雑音低減のための信号処理システムであって、
サンプリング周波数ＦＳと中間周波数ＦＩＦに従って構成されたデジタル中間周波数アップコンバータと、
複数のデジタル／アナログ変換器（ＤＡＣ）と、
第２の変調周波数ＦＣと前記中間周波数ＦＩＦに従ったアナログ変調のためのアナログＩ／Ｑ変調器と、
前記アナログＩ／Ｑ変調器により生成された不要な信号の電力内容を低減し、ＷＣＤＭＡ通信規格に適合するよう構成されたバンドパスフィルタと、を備え、前記デジタル中間周波数アップコンバータは、さらに前記中間周波数ＦＩＦが実質的に前記サンプリング周波数ＦＳの１／４であるよう構成されている信号処理システム。
【請求項１５】
無線通信システムはデータレートを有し、前記サンプリング周波数ＦＳは前記データレートの約偶数倍である請求項１４に記載のシステム。
【請求項１６】
前記デジタル中間周波数アップコンバータは、前記中間周波数ＦＩＦの三角関数を含む２つ以上の項により部分的に記述された信号を出力するよう構成された数値発振器をさらに備える請求項１４に記載のシステム。
【請求項１７】
前記デジタル中間周波数アップコンバータは、さらに三角法のルックアップテーブルを有するデジタル位相変調器を含む請求項１４に記載のシステム。
【請求項１８】
雑音低減のための信号処理システムであって、
デジタルベースバンド入力信号の位相偏移を乗算係数Ｍでデジタル方式により乗算し、前記デジタルベースバンド入力信号の所望の信号を実質的に含む過偏移デジタルベースバンド信号を出力する手段と、
サンプリング周波数ＦＳと中間周波数ＦＩＦに関して前記過偏移デジタルベースバンド信号を処理し、前記過偏移デジタルベースバンド信号からアップシフトされているＩ直交信号およびＱ直交信号を出力する手段であり、前記Ｉ直交信号およびＱ直交信号は、実質的に前記中間周波数ＦＩＦを中心とするアップシフトされた周波数範囲における所望の信号の内容を実質的に含む手段と、
前記Ｉ直交信号を第１の複素アナログ信号に変換し前記Ｑ直交信号を第２の複素アナログ信号に変換するデジタル／アナログ変換（ＤＡＣ）のための手段であり、前記第１および第２の複素アナログ信号は所望の信号の内容を実質的に含み、前記ＤＡＣのための手段は、前記所望の信号の内容のアップシフトされた周波数範囲を含む周波数スペクトルの少なくとも一部に固有のＤＡＣ雑音を有する手段と、
過偏移入力信号の位相偏移を除算係数Ｍで除算する手段と、
を備える信号処理システム。
【請求項１９】
前記デジタル方式により乗算する手段は、乗算係数Ｋを有し過偏移デジタルベースバンド信号の位相偏移値が前記デジタルベースバンド入力信号の位相偏移値よりも実質的にＫのＭ倍大きいように、前記デジタルベースバンド入力信号の位相偏移値を増加するようＧＳＭ特定位相乗算をする手段をさらに含む請求項１８に記載のシステム。
【請求項２０】
前記過偏移デジタルベースバンド信号を処理する手段は、前記サンプリング周波数ＦＳと前記中間周波数ＦＩＦに関して処理されるよう三角法のルックアップテーブルを用いて、前記過偏移デジタルベースバンド信号を初期ＩおよびＱ直交信号に変換する手段をさらに含む請求項１８に記載のシステム。
【請求項２１】
ＭはＧＳＭ通信規格の雑音条件を満たすよう選ばれ、前記ＤＡＣのための手段はＷＣＤＭＡ通信規格の雑音条件を満たすよう選ばれる請求項１８に記載のシステム。
【請求項２２】
雑音低減のための信号処理システムであって、
デジタルベースバンド入力信号の位相偏移を乗算係数Ｍでデジタル方式により乗算し、前記デジタルベースバンド入力信号の所望の信号を実質的に含む過偏移デジタルベースバンド信号を出力する手段と、
前記過偏移デジタルベースバンド信号から生成されたＩおよびＱ直交デジタル信号をそれぞれ第１および第２の複素アナログ信号に変換するよう構成されたデジタル／アナログ変換（ＤＡＣ）のための手段であり、前記第１および第２の複素アナログ信号はＷＣＤＭＡ通信規格に適合しない電力内容を有するＤＡＣ雑音を有する手段と、
変更されていない第１および第２の複素アナログ信号の対と変更された第１および第２の複素アナログ信号の対との信号対のリストのうち１対を変調し、実数アナログ信号を出力するようアナログ変調する手段と、
前記実数アナログ信号の変更されていないバージョンと前記実数アナログ信号の変更されたバージョンとの信号のうち１つの位相偏移を除算係数Ｍで除算し、ＤＡＣ雑音を低減しそれによって位相調整アナログ信号を出力するための手段であり、前記位相調整アナログ信号は実質的に前記実数アナログ信号の位相偏移値の１／Ｍである位相偏移値を有し、処理の後の残留ＤＡＣ雑音の電力内容は選択された通信規格に適合している手段と、
を備える信号処理システム。
【請求項２３】
前記実数アナログ信号を振幅制限し、前記ＤＡＣ雑音の振幅変調された雑音成分を低減するための手段をさらに備える請求項２２に記載のシステム。
【請求項２４】
前記位相調整アナログ信号を振幅制限し、前記ＤＡＣ雑音の振幅変調された雑音成分を低減するための手段をさらに備える請求項２２に記載のシステム。
【請求項２５】
雑音低減のための信号処理システムであって、
デジタルベースバンド入力信号と前記デジタルベースバンド入力信号の変形との２つの信号のうち１つをサンプリング周波数ＦＳと中間周波数ＦＩＦに関して処理し、前記デジタルベースバンド信号からアップシフトされているＩ直交信号およびＱ直交信号を出力する手段であり、前記Ｉ直交信号およびＱ直交信号は、実質的に前記中間周波数を中心とするアップシフトされた周波数範囲における所望の信号の内容を実質的に含む手段と、
前記ＩおよびＱ直交信号をそれぞれ第１および第２の複素アナログ信号に変換するようデジタル／アナログ変換（ＤＡＣ）する手段と、
第１および第２のフィルタリングされたアナログ信号を変調周波数ＦＣにしたがってアナログ変調し、位相偏移値を有し、前記中間周波数ＦＩＦと前記変調周波数ＦＣとの合計に実質的に等しい値を有する周波数を実質的に中心とする第２のアップシフト周波数範囲内に位置する所望の信号の内容を実質的に含む実数アナログ信号を出力する手段であり、前記実数アナログ信号はさらに変調の結果として生じる不要な信号を含む手段と、
前記実数アナログ信号と前記実数アナログ信号の変形との２つの信号のうち１つを帯域通過フィルタリングし、それによって不要な信号を低減する手段であり、処理の後の残留不要信号の電力内容はＷＣＤＭＡ通信規格の雑音条件に反するのに不十分である手段と、
を備える信号処理システム。
【請求項２６】
前記過偏移デジタルベースバンド信号を処理する手段は、前記サンプリング周波数ＦＳと前記中間周波数ＦＩＣに関して処理されるよう三角法の手段を介して、前記過偏移デジタルベースバンド信号を初期ＩおよびＱ直交信号に変換する手段をさらに含む請求項２５に記載のシステム。
【請求項２７】
デジタルベースバンド入力信号の位相偏移を乗算係数Ｍでデジタル方式により乗算して、前記デジタルベースバンド入力信号の所望の信号の内容を実質的に含む過偏移デジタルベースバンド信号を出力することと、
サンプリング周波数ＦＳと中間周波数ＦＩＦに関して前記過偏移デジタルベースバンド信号を処理して、前記過偏移デジタルベースバンド信号からアップシフトされているＩ直交信号およびＱ直交信号を出力し、前記Ｉ直交信号およびＱ直交信号は、実質的に前記中間周波数を中心とするアップシフトされた周波数範囲における所望の信号の内容を実質的に含むことと、
前記Ｉ直交信号を第１の複素アナログ信号にデジタル／アナログ変換し前記Ｑ直交信号を第２の複素アナログ信号に変換することであり、前記第１および第２の複素アナログ信号は、前記所望の信号の内容と、前記所望の信号の内容のアップシフトされた周波数範囲を含む周波数スペクトルの少なくとも一部におけるＤＡＣ雑音とを実質的に含むことと、
過偏移入力信号の位相偏移を除算係数Ｍで除算することと、
を含む信号処理方法。
【請求項２８】
変調周波数ＦＣにしたがってアナログ変調し、位相偏移値を有し、中間周波数ＦＩＦと変調周波数ＦＣとの合計に実質的に等しい値を有する周波数を実質的に中心とする第２のアップシフトされた周波数範囲内に位置する所望の信号の内容を実質的に含む実数アナログ信号を出力することであり、前記実数アナログ信号はさらに変調の結果として生じる不要な信号を含むことと、制限器の入力信号を振幅制限し、それによって前記実数アナログ信号の振幅変調された雑音成分を低減することとを含み、前記制限器の入力信号は前記実数アナログ信号である請求項２７に記載の方法。
【請求項２９】
前記過偏移入力信号を帯域通過させることをさらに含む請求項２７に記載の方法。
【請求項３０】
前記デジタル方式により乗算することは、乗算係数Ｋを有するＧＳＭ特定位相乗算をすることをさらに含む請求項２７に記載の方法。
【請求項３１】
ＭはＧＳＭ通信規格の雑音条件を満たすよう選ばれ、前記第１および第２のＤＡＣはＷＣＤＭＡ通信規格の雑音条件を満たすよう選ばれる請求項２７に記載の方法。
【請求項３２】
デジタルベースバンド入力信号を乗算係数Ｍでデジタル方式により乗算して、所望の信号の内容を実質的に含む過偏移デジタルベースバンド信号を出力することと、
前記過偏移デジタルベースバンド信号から生成されたＩおよびＱ直交デジタル信号をそれぞれ第１および第２の複素アナログ信号にデジタル／アナログ変換することであり、前記第１および第２の複素アナログ信号はＷＣＤＭＡ通信規格に適合しない電力出力の内容を有するＤＡＣ雑音を有することと、
変更されていない第１および第２の複素アナログ信号の対と変更された第１および第２の複素アナログ信号の対との信号対のリストのうち１対をアナログ変調し、実数アナログ信号を出力することと、
前記実数アナログ信号の変更されていないバージョンと前記実数アナログ信号の変更されたバージョンとの信号のうち１つの位相偏移を除算係数Ｍで除算して、前記ＤＡＣ雑音を低減しそれによって位相調整アナログ信号を出力することであり、前記位相調整アナログ信号は実質的に前記実数アナログ信号の位相偏移値の１／Ｍであり、残留ＤＡＣ雑音の電力内容はＷＣＤＭＡ通信規格に適合していることと、
を含む信号処理方法。
【請求項３３】
前記実数アナログ信号を振幅制限し、前記ＤＡＣ雑音の振幅変調された雑音成分を低減することをさらに備える請求項３２に記載の方法。
【請求項３４】
前記位相調整アナログ信号を振幅制限し、前記ＤＡＣ雑音の振幅変調された雑音成分を低減することをさらに備える請求項３２に記載の方法。
【請求項３５】
デジタルベースバンド入力信号と前記デジタルベースバンド入力信号の変形との２つの信号のうち１つをサンプリング周波数ＦＳと中間周波数ＦＩＦに関して処理し、前記デジタルベースバンド信号からアップシフトされているＩ直交信号およびＱ直交信号を出力することであり、前記Ｉ直交信号およびＱ直交信号は、実質的に前記中間周波数を中心とするアップシフトされた周波数範囲における所望の信号の内容を実質的に含むことと、
前記ＩおよびＱ直交信号をそれぞれ第１および第２の複素アナログ信号にデジタル／アナログ変換（ＤＡＣ）することと、
第１およびフィルタリングされたアナログ信号を変調周波数ＦＣに従ってアナログ変調し、位相偏移値を有し、前記中間周波数ＦＩＦと前記変調周波数ＦＣとの合計に実質的に等しい値を有する周波数を実質的に中心とする第２のアップシフトされた周波数範囲内に位置する所望の信号の内容を実質的に含む実数アナログ信号を出力することであり、前記実数アナログ信号はさらに変調の結果として生じる不要な信号を含むことと、
前記実数アナログ信号と前記実数アナログ信号の変形との２つの信号のうち１つを帯域通過フィルタリングし、ＷＣＤＭＡ通信規格に適合するよう前記不要な信号における電力を低減することと、
を含む信号処理方法。
【請求項３６】
前記過偏移デジタルベースバンド信号を処理することは、前記サンプリング周波数ＦＳと前記中間周波数ＦＩＦに関して処理されるよう三角法で前記過偏移デジタルベースバンド信号を初期ＩおよびＱ直交信号に変換することをさらに含む請求項３５に記載の方法。